(57)【要約】  容器を加圧するために及び／又は容器のバックリングを阻止する又はバックリングに反作用するために、及び／又は容器に構造的な剛性及び強度を提供するために、及び／又は成分を解放するために、閉鎖及びシーリング後に容器にガスを解放するための装置及び方法。方法は充填の後でかつシーリングの前に容器内に反応剤を導入する。反応剤はガス及び選択的２成分を提供するために反応するように制御され、成分は、ａ）バックリングを阻止する又はバックリングに反作用しかつ容器に構造的な剛性を提供するために正圧を提供し、かつ／又はｂ）閉鎖された容器のヘッドスペース及び／又は内容物の状態又は特性を変化させる。装置は、クロージャと、キャップと、容器とを有する。反応剤は湿潤、加熱、触媒等によって化学反応にもたらされる。クロージャは反応剤を有しておりかつ容器内に配置されている。外部トリガは、化学反応を刺激するために反応剤に熱を提供するエネルギを放出する装置である。
2007513017.tif 000002
【特許請求の範囲】
【請求項１】
１つ又は２つ以上の製品で部分的に充填された室と、
該室内に配置された挿入体とが設けられており、該挿入体が、反応チャンバと、前記室を加圧するために前記室に解放されるガスを発生するために前記反応チャンバにおいて化学反応をトリガすることができる少なくとも１つの反応剤とを有することを特徴とする、容器。
【請求項２】
前記挿入体が、前記化学反応をトリガするために外部エネルギ源によって作動された場合に熱を提供する加熱エレメントを有している、請求項１記載の容器。
【請求項３】
前記外部エネルギ源が、放射熱、加熱空気、無線周波数（ＲＦ）、高周波数（ＨＦ）、超短波（ＶＨＦ）及び超高周波（ＵＨＦ）の範囲の電磁エネルギ、マイクロ波、ガンマ線、Ｘ線、紫外線、赤外線、電磁熱誘導、超音波エネルギ、熱音響エネルギ、レーザエネルギ、電流及びこれらの組合せからなるグループから選択された形式での熱エネルギを提供する、請求項２記載の容器。
【請求項４】
前記反応剤が、炭酸塩、亜硝酸塩、硝酸塩、アンモニウム化合物、酢酸塩、オゾン、過酸化物及びこれらの組合せからなるグループから選択されている、請求項１記載の容器。
【請求項５】
前記挿入体がさらに、コンポーネント及び層、ライナ、シール、反応剤、メンブレン、コーティング、フィルム、誘導プレート、電極、誘電体、吸収剤、導体、絶縁体、セパレータ、ジャケット、シールド、ヒューズ、スペーサ、ステータ、コイル、触媒、阻害剤及びこれらの組合せからなるグループの部材を含む、請求項１記載の容器。
【請求項６】
前記化学反応が、触媒、湿気、熱のうちの１つ及びあらゆるこれらの組合せによってトリガされる、請求項１記載の容器。
【請求項７】
前記挿入体が、前記反応剤を別の作用物質から分離するセパレータを有しており、該セパレータが、前記反応剤及び前記作用物質を前記反応チャンバ内において接触させるために、湿気によって少なくとも部分的に溶解される、請求項１記載の容器。
【請求項８】
前記挿入体が複数の層を有しており、前記反応チャンバが、前記層のうちの第１の層と第２の層との間に配置されている、請求項１記載の容器。
【請求項９】
前記第１の層が１つ又は２つ以上の弱められた領域を有しており、これらの領域が、前記ガスを前記室内へ逃がすために、前記ガスが前記反応チャンバを加圧すると破裂するようになっている、請求項８記載の容器。
【請求項１０】
前記複数の層のうちの１つが、前記化学反応をトリガするために外部エネルギ源によって作動させられると熱を提供する加熱エレメントを有している、請求項８記載の容器。
【請求項１１】
前記加熱エレメントが、前記第１の層又は第２の層のうちの一方である、請求項１０記載の容器。
【請求項１２】
前記加熱エレメントが、電磁界に曝されると電気を伝導する導体である、請求項１０記載の容器。
【請求項１３】
前記層のうちの１つが、前記ガスを前記室内へ逃がすことができる半透性のメンブレンである、請求項８記載の容器。
【請求項１４】
さらにキャップが設けられており、前記室がさらにネックを有しており、前記キャップが前記ネックに配置されており、前記挿入体が前記キャップの表面に配置されている、請求項１記載の容器。
【請求項１５】
前記ガスが前記室のヘッドスペースに進入する、請求項１４記載の容器。
【請求項１６】
前記挿入体がさらに引張りタブを有しており、該引張りタブが、前記表面に結合されており、引っ張られた場合に、前記挿入体を前記表面から取り外す、請求項１４記載の容器。
【請求項１７】
前記製品が液体であり、該液体が初期には高温であり、前記液体が冷却しながら前記室がバックリングし、前記ガスが前記バックリングに反作用する、請求項１４記載の容器。
【請求項１８】
前記ガスとともに前記室内に解放される成分を含む、請求項１４記載の容器。
【請求項１９】
前記成分が、前記反応剤とともに前記反応チャンバ内に配置されている、請求項１８記載の容器。
【請求項２０】
前記成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている、請求項１８記載の容器。
【請求項２１】
前記挿入体が複数の層を有しており、前記反応チャンバが、前記層のうちの少なくとも第１の層と第２の層との間に配置されている、請求項１４記載の容器。
【請求項２２】
前記第１の層が１つ又は２つ以上の弱められた領域を有しており、該領域が、前記ガスを前記室内に逃がすために、前記ガスが前記反応チャンバを加圧すると破裂するようになっている、請求項２１記載の容器。
【請求項２３】
前記複数の層のうちの１つが、前記化学反応をトリガするために、外部エネルギ源によって作動させられた場合に熱を提供する加熱エレメントを有している、請求項２１記載の容器。
【請求項２４】
前記加熱エレメントが前記第１の層又は第２の層のうちの１つである、請求項２３記載の容器。
【請求項２５】
前記加熱エレメントが、電磁界に曝された場合に電気を伝導する導体である、請求項２３記載の容器。
【請求項２６】
前記層のうちの１つが、前記ガスを前記室内に逃がすことができる半透性のメンブレンである、請求項２１記載の容器。
【請求項２７】
前記複数の層のうちの１つが、前記表面と前記反応室との間に配置された引張りタブを備えたクロージャシールである、請求項２１記載の容器。
【請求項２８】
前記表面と前記クロージャシールとの間に配置された二次シールが設けられている、請求項２７記載の容器。
【請求項２９】
前記複数の層がさらに、クロージャシールである第３の層と、該第３の層と前記第２の層との間に配置された絶縁体である第４の層とを有しており、前記第１の層と第２の層とがそれぞれ導体である、請求項２１記載の容器。
【請求項３０】
容器を少なくとも部分的に製品で充填し、
前記容器を閉鎖し、
前記容器に挿入体を配置し、該挿入体が、反応チャンバと、前記容器を加圧するために前記室へ解放されるガスを発生するために前記反応チャンバにおける化学反応をトリガすることができる少なくとも１つの反応剤とを有していることを特徴とする、方法。
【請求項３１】
さらに前記ガスと同時に成分を前記容器内に解放することを含む、請求項３０記載の方法。
【請求項３２】
前記化学反応が、触媒、湿気、熱及びこれらのあらゆる組合せから成るグループから選択された１つによってトリガされる、請求項３０記載の方法。
【請求項３３】
前記加熱が誘導ヒータによって提供される、請求項３２記載の方法。
【請求項３４】
前記加熱が、放射熱、加熱空気、無線周波数（ＲＦ）、高周波数（ＨＦ）、超短波（ＶＨＦ）及び超高周波（ＵＨＦ）の範囲の電磁エネルギ、マイクロ波、ガンマ線、Ｘ線、紫外線、赤外線、電磁熱誘導、超音波エネルギ、熱音響エネルギ、レーザエネルギ、電流及び／又はこれらのあらゆる組合せから成るグループから選択されている、請求項３２記載の方法。
【請求項３５】
前記反応剤が、炭酸塩、亜硝酸塩、硝酸塩、アンモニウム化合物、酢酸塩、オゾン、過酸化物及びこれらの組合せから成るグループから選択されている、請求項３０記載の方法。
【請求項３６】
前記挿入体がさらに、前記反応剤を別の作用物質から分離するセパレータを有しており、さらに、前記反応剤及び前記作用物質を前記反応チャンバ内で互いに接触させるために、前記セパレータを湿気によって少なくとも部分的に溶解することを含む、請求項３０記載の方法。
【請求項３７】
前記成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている、請求項３１記載の方法。
【請求項３８】
前記挿入体が複数の層を有しており、該層の少なくとも第１の層と第２の層とがこれらの層の間の領域を用いてシールされており、前記反応剤が前記反応チャンバ内に配置されている、請求項３０記載の方法。
【請求項３９】
前記複数の層の内の１つが、外部エネルギ源によってトリガされた時に前記反応剤を加熱する加熱エレメントである、請求項３０記載の方法。
【請求項４０】
前記加熱エレメントが前記第１の層又は第２の層のうちの１つである、請求項３９記載の方法。
【請求項４１】
前記加熱エレメントが、電磁界に曝された場合に電気を伝導する導体である、請求項３９記載の方法。
【請求項４２】
前記層のうちの１つが、前記ガスを前記容器へ逃がすことができる半透性のメンブレンである、請求項３８記載の方法。
【請求項４３】
前記容器が、ネックとキャップとを有しており、前記キャップが前記ネックに配置されており、前記挿入体が前記キャップの表面に配置されている、請求項３０記載の方法。
【請求項４４】
前記ガスが前記容器のヘッドスペースに進入する、請求項４３記載の方法。
【請求項４５】
前記挿入体がさらに引張りタブを有しており、該引張りタブが、前記表面に結合されており、引っ張られた場合に前記挿入体を前記表面から取り外すようになっている、請求項４３記載の方法。
【請求項４６】
前記製品が液体であり、前記液体が初期は高温であり、前記液体が冷却しながら前記容器がバックリングし、前記ガスが前記バックリングに反作用する、請求項４３記載の方法。
【請求項４７】
さらに前記ガスとともに前記容器内へ解放される成分を含む、請求項４３記載の方法。
【請求項４８】
前記成分が、前記反応剤とともに前記反応チャンバ内に配置されている、請求項４７記載の方法。
【請求項４９】
前記成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている、請求項４７記載の方法。
【請求項５０】
前記挿入体が複数の層を有しており、前記反応チャンバが、前記層のうちの少なくとも第１の層と第２の層との間に配置されている、請求項３０記載の方法。
【請求項５１】
前記第１の層が１つ又は２つ以上の弱められた領域を有しており、該領域が、前記ガスを前記容器内に逃がすために、前記ガスが前記反応チャンバを加圧すると破裂するようになっている、請求項５０記載の方法。
【請求項５２】
前記複数の層のうちの１つが、前記化学反応をトリガするために外部エネルギ源によって作動させられた場合に熱を提供する加熱エレメントを有している、請求項５０記載の方法。
【請求項５３】
前記複数の層のうちの１つが、引張りタブを備えたクロージャシールであり、前記引張りタブが前記表面と前記反応チャンバとの間に配置されている、請求項５０記載の方法。
【請求項５４】
前記表面と前記クロージャシールとの間に配置された二次シールが設けられている、請求項５３記載の方法。
【請求項５５】
前記複数の層がさらに、クロージャシールである第３の層と、該第３の層と前記第２の層との間に配置された絶縁体である第４の層とを有しており、前記第１及び第２の層がそれぞれ導体である、請求項５０記載の方法。
【請求項５６】
キャップにおいて、
容器ネックに嵌合するように形成されたリムと、
該リムに結合された表面と、
該表面に配置された挿入体とが設けられており、該挿入体が、反応チャンバと、ガスを発生するために前記反応チャンバにおいて化学反応をトリガすることができる少なくとも１つの反応剤とを有していることを特徴とする、キャップ。
【請求項５７】
前記挿入体がさらに、前記表面に結合された、引っ張られた場合に前記挿入体を前記表面から取り外す引張りタブを有している、請求項５６記載のキャップ。
【請求項５８】
前記製品が液体であり、前記液体が初期は高温であり、前記液体が冷却しながら前記室がバックリングし、前記ガスが前記バックリングに反作用する、請求項５６記載のキャップ。
【請求項５９】
前記ガスとともに前記室内へ解放される成分をさらに含む、請求項５６記載のキャップ。
【請求項６０】
前記成分が前記反応剤とともに前記反応チャンバ内に配置されている、請求項５９記載のキャップ。
【請求項６１】
前記成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている、請求項５９記載のキャップ。
【請求項６２】
前記挿入体が複数の層を有しており、前記反応チャンバが、前記層のうちの少なくとも第１の層と第２の層との間に配置されている、請求項５６記載のキャップ。
【請求項６３】
前記第１の層が１つ又は２つ以上の弱められた領域を有しており、これらの領域が、前記ガスが前記室内へ逃がすために、前記ガスが前記反応チャンバを加圧すると破裂するようになっている、請求項６２記載のキャップ。
【請求項６４】
前記複数の層のうちの１つが、前記化学反応をトリガするために外部エネルギ源によって作動させられた場合に熱を提供する加熱エレメントを有している、請求項６２記載のキャップ。
【請求項６５】
前記加熱エレメントが前記第１の層又は第２の層のうちの１つである、請求項６４記載のキャップ。
【請求項６６】
前記加熱エレメントが、電磁界に曝された場合に電気を伝導する導体である、請求項６４記載のキャップ。
【請求項６７】
前記層のうちの１つが、前記ガスを前記室へ逃がすことができる半透性のメンブレンである、請求項６２記載のキャップ。
【請求項６８】
前記複数の層のうちの１つが、引張りタブを備えたクロージャシールであり、前記引張りタブが前記表面と前記反応チャンバとの間に配置されている、請求項６２記載のキャップ。
【請求項６９】
前記表面と前記クロージャシールとの間に配置された二次シールが設けられている、請求項６８記載のキャップ。
【請求項７０】
前記複数の層がさらに、クロージャシールである第３の層と、該第３の層と第２の層との間に配置された絶縁体である第４の層とを有しており、前記第１及び第２の層がそれぞれ導体である、請求項６２記載のキャップ。
【発明の詳細な説明】
【技術分野】
【０００１】
本発明は、（ａ）容器のバックリングを阻止する又はバックリングに反作用するために、（ｂ）容器に構造的な剛性及び強度を提供するために、及び（ｃ）容器を閉鎖及びシールした後に成分が付加されることができるように、閉鎖された高温又は低温充填された容器にガス及び／又はその他の成分を解放する方法及び装置に関する。本発明の装置は容器及びキャップを有する。容器は液体又は固体製品で部分的に充填されることができる。
【０００２】
発明の背景
微生物損傷を阻止するために、製品及び容器を滅菌するために高温で多くの食品及び飲料製品を封入するために高温充填プロセスがしばしば使用される。容器の液体内容物が冷却すると、この液体内容物は収縮し、内部真空を生ぜしめるか又は、収縮、バックリング又はパネリング等によって容器を変形させる。現在では、収縮を補償しかつボトル変形を阻止するためにプラスチックボトルはパネル、リブ及び付加的な樹脂を備えて設計されている。ボトルの滑らかな側壁がこれらのパネルと交換されると、フレキシブルなパッケージング形状及びデザインが妨害され、これにより、ラベルの提供を困難にする。
【０００３】
ボトル変形問題へのアプローチは、液体が高温充填された後でかつシーリングの前にボトルに二酸化炭素又は液体窒素等のガスを付加する。このアプローチは、米国特許第４６６２１５４号明細書、米国特許第５０３３２５４号明細書、米国特許第５２５１４２４号明細書、及びドイツ連邦共和国特許出願公開第４０３６４２１号明細書に記載されている。例えば、米国特許第５２５１４２４号明細書に記載されたプロセスは、高温液体の冷却時にボトルの熱的歪みを阻止するためにシーリングの前にボトルに液体窒素を導入する。
【０００４】
閉鎖した後、ヘッドスペース内でガスが膨張し、容器内の圧力が急速に上昇し、容器に剛性を提供する。この操作は、伸長及び変形することなしに比較的高い圧力を受け取ることができる低温充填されたプラスチック容器に適用された場合に最も効果的である。しかしながら、高温充填温度において、容器はその設計強度を損失する。強度のこの損失は容器を伸長及び変形させ、低温充填操作で達成されることができる同じ圧力レベルに容器を加圧することを不可能にする。
【０００５】
ボトル変形問題への別のアプローチは、シーリングの前に容器に二酸化炭素解放装置を付加することである。このアプローチは米国特許第５２７００６９号明細書及び米国特許第６２４４０２２号明細書に記載されている。例えば、米国特許第５２７００６９号明細書に記載された装置は、２つの室を有する鉛筆状の装置を有しており、前記室に異なる反応物が配置されており、これらの反応物は、接触させられると反応し、二酸化炭素をボトルのヘッドスペース内へ解放する。飲料を消費する前にユーザは装置を除去しなければならない。
【０００６】
飲料を炭酸塩化するために消費時点で活性化される炭酸塩化装置を有するパッケージされた飲料は、米国特許第３８８８９９８号明細書、米国特許第４００７１３４号明細書、米国特許第４１１０２５５号明細書、米国特許４１８６２１５第号明細書、米国特許第４３１６４０９号明細書、米国特許第４４５８５８４号明細書、米国特許第４４７５４４８号明細書、米国特許第４４６６３４２号明細書、及び英国特許出願第２０７６６２８号明細書に記載されている。これらの装置のうちの多くにおいて使用されるふるいタブレットは、米国特許第３８８８９９８号明細書、米国特許第４００７１３４号明細書、米国特許第４１１０２５５号明細書、米国特許第４０２５６５５号明細書及び米国特許第４２１４０１１号明細書に記載されている。これらのふるいタブレットは、消費前に飲料から除去されなければならない残留物を残す。
【０００７】
高温充填プロセスにおいて、食品及び飲料製品は低温殺菌され、次いで高温で容器に充填される。全体の加熱及び冷却サイクルは、著しい時間を取ることができ、実際の食品又は飲料成分がより長い時間高温に曝されることを意味する。この時間の間、“熱敏感成分”と呼ばれるある成分は、高温によって劣化されることができ、本当の香り及び味特性を失う。
【０００８】
したがって、消費時に除去されなければならない残留物又は装置を残すことなしに微生物安定性保持するためにガスを閉鎖された容器に解放する方法が必要とされている。
【０００９】
また、装飾、軽量性及び柔軟性の利益を獲得するために、閉鎖された高温充填された容器におけるバックリング又はパネリングを排除することが必要である。
【００１０】
また、容器を変形させることなく構造的な利益を獲得するために、閉鎖された高温充填された容器を十分に加圧することが必要である。
【００１１】
さらに、機能性を高めるために時間遅れベースで成分及び機能的成分を閉鎖された容器へ解放することが必要である。
【００１２】
さらに、容器がシールされた後に容器を加圧するためにガスが解放されることができる容器が必要とされている。
【００１３】
さらに、容器を加圧するために、シーリングの後に容器内にガスを解放することができる容器のためのクロージャ又はキャップが必要とされている。
【００１４】
発明の概要
本発明の容器は、１つ又は２つ以上の製品で部分的に充填された室と、該室内に配置された挿入体とを有する。挿入体は、反応チャンバと、室を加圧するために室に解放されるガスを発生するために前記反応チャンバにおいて化学反応をトリガすることができる少なくとも１つの反応剤とを有している。
【００１５】
本発明の容器の別の実施形態において、挿入体は、化学反応をトリガするために外部エネルギ源によって作動された場合に熱を提供する加熱エレメントを有している。
【００１６】
本発明の容器の別の実施形態において、外部エネルギ源が、放射熱、加熱空気、無線周波数（ＲＦ）、高周波数（ＨＦ）、超短波（ＶＨＦ）及び超高周波（ＵＨＦ）の範囲の電磁エネルギ、マイクロ波、ガンマ線、Ｘ線、紫外線、赤外線、電磁熱誘導、超音波エネルギ、熱音響エネルギ、レーザエネルギ、電流及びこれらの組合せからなるグループから選択された形式での熱エネルギを提供する。
【００１７】
本発明の容器の別の実施形態において、反応剤は、炭酸塩、亜硝酸塩、硝酸塩、アンモニウム化合物、酢酸塩、オゾン、過酸化物及びこれらの組合せからなるグループから選択されている。
【００１８】
本発明の容器の別の実施形態において、挿入体がさらに、コンポーネント及び層、ライナ、シール、反応剤、メンブレン、コーティング、フィルム、誘導プレート、電極、誘電体、吸収剤、導体、絶縁体、セパレータ、ジャケット、シールド、ヒューズ、スペーサ、ステータ、コイル、触媒及び阻害剤、及びこれらの組合せからなるグループの部材を含む。
【００１９】
本発明の容器の別の実施形態において、化学反応が、触媒、湿気、熱及びあらゆるこれらの組合せから成るグループから選択された１つによってトリガされる。
【００２０】
本発明の容器の別の実施形態において、挿入体が、反応剤を別の作用物質から分離するセパレータを有しており、セパレータが、反応剤及び作用物質を反応チャンバ内において接触させるために、湿気によって少なくとも部分的に溶解される。
【００２１】
本発明の容器の別の実施形態において、挿入体が複数の層を有しており、反応チャンバが、層のうちの第１の層と第２の層との間に配置されている。
【００２２】
本発明の容器の別の実施形態において、第１の層が１つ又は２つ以上の弱められた領域を有しており、これらの領域は、ガスを室内へ逃がすために、ガスが反応チャンバを加圧すると破裂する。
【００２３】
本発明の容器の別の実施形態において、複数の層のうちの１つが、化学反応をトリガするために外部エネルギ源によって作動させられると熱を提供する加熱エレメントを有している。
【００２４】
本発明の容器の別の実施形態において、加熱エレメントが第１の層又は第２の層のうちの一方である。
【００２５】
本発明の容器の別の実施形態において、加熱エレメントが、電磁界に曝されると電気を伝導する導体である。
【００２６】
本発明の容器の別の実施形態において、層のうちの１つが、ガスを室内へ逃がすことができる半透性のメンブレンである。
【００２７】
本発明の容器の別の実施形態において、室がさらにネックを有しており、キャップが前記ネックに配置されている。挿入体はキャップの表面に配置されている。
【００２８】
本発明の容器の別の実施形態において、ガスが室のヘッドスペースに進入する。
【００２９】
本発明の容器の別の実施形態において、挿入体がさらに引張りタブを有しており、引張りタブが、表面に結合されており、引っ張られた場合に挿入体を表面から取り外す。
【００３０】
本発明の容器の別の実施形態において、製品が、初期には高温の液体である。液体が冷却しながら室がバックリングし、ガスがバックリングに反作用する。
【００３１】
本発明の容器の別の実施形態において、成分がガスとともに室内へ解放される。
【００３２】
本発明の容器の別の実施形態において、成分が反応剤とともに反応チャンバに配置されている。
【００３３】
本発明の容器の別の実施形態において、成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている。
【００３４】
本発明の容器の別の実施形態において、挿入体が複数の層を有しており、反応チャンバが、層のうちの少なくとも第１の層と第２の層との間に配置されている。
【００３５】
本発明の容器の別の実施形態において、第１の層が１つ又は２つ以上の弱められた領域を有しており、領域が、ガスを室内に逃がすために、ガスが反応チャンバを加圧しながら破裂する。
【００３６】
本発明の容器の別の実施形態において、複数の層のうちの１つが、化学反応をトリガするために、外部エネルギ源によって作動させられた場合に熱を提供する加熱エレメントを有している。
【００３７】
本発明の容器の別の実施形態において、加熱エレメントが第１の層又は第２の層のうちの１つである。
【００３８】
本発明の容器の別の実施形態において、加熱エレメントが、電磁界に曝された場合に電気を伝導する導体である。
【００３９】
本発明の容器の別の実施形態において、層の内の１つが、ガスを室内に逃がすことができる半透性のメンブレンである。
【００４０】
本発明の容器の別の実施形態において、複数の層の内の１つが、表面と反応室との間に配置された引張りタブを備えたクロージャシールである。
【００４１】
本発明の容器の別の実施形態において、表面とクロージャシールとの間に二次シールが配置されている。
【００４２】
本発明の容器の別の実施形態において、複数の層がさらに、クロージャシールである第３の層と、第３の層と第２の層との間に配置された絶縁体である第４の層とを有している。第１の層と第２の層とがそれぞれ導体である。
【００４３】
本発明の方法は、容器を少なくとも部分的に製品で充填し、容器を閉鎖し、容器に挿入体を配置することを含む。挿入体は、反応チャンバと、容器を加圧するために室へ解放されるガスを発生するために反応チャンバにおける化学反応をトリガすることができる少なくとも１つの反応剤とを有している。
【００４４】
本発明の方法の別の実施形態において、成分はガスと同時に容器内に解放される。
【００４５】
本発明の方法の別の実施形態において、化学反応が、触媒、湿気、熱及びこれらのあらゆる組合せから成るグループから選択された１つによってトリガされる。
【００４６】
本発明の方法の別の実施形態において、加熱が誘導ヒータによって提供される。
【００４７】
本発明の方法の別の実施形態において、加熱が、放射熱、加熱空気、無線周波数（ＲＦ）、高周波数（ＨＦ）、超短波（ＶＨＦ）及び超高周波（ＵＨＦ）の範囲の電磁エネルギ、マイクロ波、ガンマ線、Ｘ線、紫外線、赤外線、電磁熱誘導、超音波エネルギ、熱音響エネルギ、レーザエネルギ、電流及び／又はこれらのあらゆる組合せから成るグループから選択されている。
【００４８】
本発明の方法の別の実施形態において、反応剤が、炭酸塩、亜硝酸塩、硝酸塩、アンモニウム化合物、酢酸塩、オゾン、過酸化物及びこれらの組合せから成るグループから選択されている。
【００４９】
本発明の方法の別の実施形態において、挿入体がさらに、反応剤を別の作用物質から分離するセパレータを有している。方法はさらに、反応剤及び作用物質を反応チャンバ内で互いに接触させるためにセパレータを湿気によって少なくとも部分的に溶解することを含む。
【００５０】
本発明の方法の別の実施形態において、成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている。
【００５１】
本発明の方法の別の実施形態において、挿入体は複数の層を有する。層の少なくとも第１の層と第２の層とがこれらの層の間の領域を用いてシールされている。反応剤が反応チャンバ内に配置されている。
【００５２】
本発明の方法の別の実施形態において、複数の層の内の１つが、外部エネルギ源によってトリガされた時に反応剤を加熱する加熱エレメントである。
【００５３】
本発明の方法の別の実施形態において、加熱エレメントが第１の層又は第２の層のうちの１つである。
【００５４】
本発明の方法の別の実施形態において、加熱エレメントが、電磁界に曝された場合に電気を伝導する導体である。
【００５５】
本発明の方法の別の実施形態において、層のうちの１つが、ガスを容器へ逃がすことができる半透性のメンブレンである。
【００５６】
本発明の方法の別の実施形態において、容器が、ネックとキャップとを有しており、キャップがネックに配置されている。挿入体はキャップの表面に配置されている。
【００５７】
本発明の方法の別の実施形態において、ガスは容器のヘッドスペースに進入する。
【００５８】
本発明の方法の別の実施形態において、挿入体がさらに引張りタブを有しており、引張りタブが、表面に結合されており、引っ張られた場合に挿入体を表面から取り外す。
【００５９】
本発明の方法の別の実施形態において、初期は高温である製品が液体である。液体が冷却しながら容器がバックリングする。ガスがバックリングに反作用する。
【００６０】
本発明の方法の別の実施形態において、成分がガスとともに容器内へ解放される。
【００６１】
本発明の方法の別の実施形態において、成分が、反応剤とともに反応チャンバ内に配置されている。
【００６２】
本発明の方法の別の実施形態において、成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている。
【００６３】
本発明の方法の別の実施形態において、挿入体が複数の層を有している。反応チャンバが層のうちの少なくとも第１の層と第２の層との間に配置されている。
【００６４】
本発明の方法の別の実施形態において、第１の層が１つ又は２つ以上の弱められた領域を有しており、領域が、ガスを容器内に逃がすために、ガスが反応チャンバを加圧するときに破裂する。
【００６５】
本発明の方法の別の実施形態において、複数の層のうちの１つが、化学反応をトリガするために外部エネルギ源によって作動させられた場合に熱を提供する加熱エレメントを有している。
【００６６】
本発明の方法の別の実施形態において、複数の層のうちの１つが、表面と反応チャンバとの間に配置された引張りタブを備えたクロージャシールである。
【００６７】
本発明の方法の別の実施形態において、二次シールが表面と前記クロージャシールとの間に配置されている。
【００６８】
本発明の方法の別の実施形態において、複数の層がさらに、クロージャシールである第３の層と、第３の層と第２の層との間に配置された絶縁体である第４の層とを有している。第１及び第２の層がそれぞれ導体である。
【００６９】
本発明のキャップ実施形態は、容器ネックに嵌合するように形成されたリムと、リムに結合された表面と、表面に配置された挿入体とを有する。挿入体が、反応チャンバと、ガスを発生するために前記反応チャンバにおいて化学反応をトリガすることができる少なくとも１つの反応剤とを有する。
【００７０】
本発明の別のキャップ実施形態において、挿入体がさらに、表面に結合された、引っ張られた場合に挿入体を表面から取り外す引張りタブを有している。
【００７１】
本発明の別のキャップ実施形態において、製品が初期は高温の液体である。液体が冷却しながら室がバックリングし、ガスがバックリングに反作用する。
【００７２】
本発明の別のキャップ実施形態において、成分はガスとともに室内へ解放される。
【００７３】
本発明の別のキャップ実施形態において、成分が反応剤とともに反応チャンバ内に配置されている。
【００７４】
本発明の別のキャップ実施形態において、成分が、水、ビタミン、ミネラル、フレーバー成分、防腐剤、脱酸素剤、塩、電解質、滅菌剤、薬剤、栄養素、感覚刺激剤、冷却剤及びこれらのあらゆる組合せから成るグループから選択されている。
【００７５】
本発明の別のキャップ実施形態において、挿入体が複数の層を有しており、反応チャンバが、層のうちの少なくとも第１の層と第２の層との間に配置されている。
【００７６】
本発明の別のキャップ実施形態において、第１の層が１つ又は２つ以上の弱められた領域を有しており、これらの領域が、ガスを室内へ逃がすために、ガスが反応チャンバを加圧すると破裂する。
【００７７】
本発明の別のキャップ実施形態において、複数の層のうちの１つが、化学反応をトリガするために外部エネルギ源によって作動させられた場合に熱を提供する加熱エレメントを有している。
【００７８】
本発明の別のキャップ実施形態において、加熱エレメントが第１の層又は第２の層のうちの１つである。
【００７９】
本発明の別のキャップ実施形態において、加熱エレメントが、電磁界に曝された場合に電気を伝導する導体である。
【００８０】
本発明の別のキャップ実施形態において、層のうちの１つが、ガスを室へ逃がすことができる半透性のメンブレンである。
【００８１】
本発明の別のキャップ実施形態において、複数の層のうちの１つが、表面と反応チャンバとの間に配置されている引張りタブを備えたクロージャシールである。
【００８２】
本発明の別のキャップ実施形態において、二次シールが表面と前記クロージャシールとの間に配置されている。
【００８３】
本発明の別のキャップ実施形態において、層がさらに、クロージャシールである第３の層と、該第３の層と第２の層との間に配置された絶縁体である第４の層とを有しており、前記第１及び第２の層がそれぞれ導体である。
【００８４】
図面の簡単な説明
本発明のその他の目的、利点及び特徴は、添付の図面に関連した以下の詳細な説明を参照することによって理解されるであろう。これらの図面において同じ符号は構造体の同じエレメントを表している。
【００８５】
図１は、本発明の挿入装置の図である。
図２は、図１の線２に沿って見た断面図である。
図３は、図２の断面図の分解図である。
図４は、図１の底面図である。
図５は、展開中及び展開後の挿入装置の動作を示す図である。
図６は、展開中の挿入装置の動作を示す図５の線６に沿って見た断面図である。
図７は、展開後の挿入装置の動作を示す図５の線６に沿って見た断面図である。
図８は、本発明の能動的クロージャ装置の分解図である。
図９は、本発明の能動的クロージャ装置の択一的な実施形態の分解図である。
図１０は、容器ネックに配置された能動的クロージャ装置を示す、図８のような分解図である。
図１１は、容器ネックに配置された能動的クロージャ装置の択一的な実施形態を示す、図９のような分解図である。
図１２は、容器ネックからの取外し後の能動的クロージャ装置を示す、図８のような分解図である。
図１３は、容器ネックからの取外し後の能動的クロージャ装置の択一的な実施形態を示す、図９のような分解図である。
図１４は、本発明の方法を示している。
図１５は、本発明の挿入装置の別の択一的な実施形態の分解図を示している。
図１６は、本発明の挿入装置の別の択一的な実施形態の分解図を示している。
図１７は、本発明のクロージャ装置の択一的な実施形態の断面図である。
図１８は、本発明の容器の択一的な実施形態の上面図である。
図１９は、図１８の線１９に沿って見た断面図である。
【００８６】
好適な実施形態の説明
本発明は多くの異なる形式の実施形態が可能であるが、図面は例として、この開示が発明の原理の具体例として考えられかつ発明の広い態様を例示された実施形態に限定するように意図されていないという理解とともに好適な実施形態を示している。
【００８７】
図１から図４までを参照すると、本発明の挿入装置２０１はクロージャシール１０１を有しており、このクロージャシールは将来の取外しを補助するための引張りタブ１０６を有している。択一的な好適な実施形態において、クロージャシール１０１は、単なる、引張りタブを備えない円形のディスクである。両方の好適な実施形態において、挿入装置２０１はグラフィックパネル２０２を有しており、このグラフィックパネルは、文章又は絵柄の形式のグラフィックを含むことができる。グラフィックパネル２０２は例えば、フィルムシール１０５に配置されることができる。
【００８８】
挿入装置２０１は、ディスク又はその他の適切な形状の形式の層状構造を有しており、この層状構造は、（引張りタブ１０６を備えた又は備えない）クロージャシール１０１と、絶縁体１０２と、ベース導体１０３と、１つ又は２つ以上のスコアマーク１０８によって弱められた保持シールド導体１０４と、フィルムシール１０５とを有しており、これらは全て結合剤１０９によって結合されている。ベース導体１０３と保持シールド導体１０４との間には反応剤１０７がシールされている。
【００８９】
以下の説明において、挿入装置２０１は、反応剤１０７が反応に巻き込まれる前には活性であり、反応後は不活性又は消費されたと考えられる。
【００９０】
図６を参照すると、挿入装置２０１の展開中に、反応剤１０７は、化学反応２１０を生ぜしめ、混合物２１２の形式の、ガス２１４と１つ又は２つ以上の成分２１６とこの混合物を解放するようにさせられる。反応２１０は、ベース導体１０３及び保持シールド導体１０４とによって形成されたシール内に形成された反応チャンバ２２０内において生じる。反応２１０は、反応チャンバ２２０内に正圧を生ぜしめ、この正圧は、スコアマーク１０８に沿って保持シールド導体１０４を切断する（図１から図４までに示されている）。切断動作は、これらの箇所において１つ又は２つ以上の破裂開口２１８を開放させ、これらの破裂開口により、混合物２１２は保持シールド導体１０４を通って放出される。
【００９１】
図７を参照すると、挿入装置２０１は展開後に消費されたとして示されている。消費された場合の挿入装置２０１はもはや反応剤１０７を含んでいない。破裂開口２１８は保持シールド導体１０４において永久に開放されている。
【００９２】
反応剤１０７は、単に挿入装置から排出される、ガス及び／又は成分を生ぜしめるように反応する、あらゆる適切な反応性又は非反応性化学的化合物であることができる。反応剤１０７は、利用可能であるか又はまだこれから開発される有機的及び非有機的化学物質及び化合物のグループ又は組合せから選択されることができる。例えば、反応剤１０７は、炭酸塩、亜硝酸塩、硝酸塩、アンモニウム化合物、酢酸塩、オゾン、過酸化物及びこれらの組合せを含むことができる。
【００９３】
クロージャシール１０１は、あらゆる適切なライナ又は内側シール又は両者の組合せであることができ、ポリエステル被覆された発泡材、ゴム、コルク、プラスチック、パルプボード及び紙から成るグループから選択されることができる。絶縁体１０２は、あらゆる適切な絶縁体であることができ、厚紙、ポリエステル、セラミック、コルク、ケイ酸塩、発泡材及びプラスチックから成るグループから選択されることができる。ベース導体１０３は、あらゆる適切な金属薄板、金属化されたフィルム又は箔であることができ、アルミニウム箔、貴金属及び非貴金属から成るグループから選択されることができる。保持シールド導体１０４は、あらゆる適切なシールドであることができ、アルミニウム箔、貴金属及び非貴金属を含むグループから選択されることができる。フィルムシール１０５は、あらゆる適切なフィルムであることができ、ポリエステルフィルム、ラテックス、水溶性フィルム及びプラスチックを含むグループから選択されることができる。引張りタブ１０６は、クロージャシール１０１と一体的であり、同じ材料から形成されている。結合剤１０９は、あらゆる適切な固定剤であることができ、接着剤、ワックス、ガム及びエポキシ樹脂から成るグループから選択されることができる。
【００９４】
ガス２１４は、あらゆる適切なガス、例えば窒素Ｎ２、酸化窒素Ｎ２Ｏ、二酸化炭素ＣＯ２又はこれらの組合せである。
【００９５】
成分２１６は、閉鎖された容器の制御された環境内への時間制御された解放に最も適した、熱敏感成分又は機能性成分として処方されている。成分２１６は、水、ビタミン、ミネラル、フレーバー成分、防腐剤、脱酸素剤、塩、電解質、滅菌剤、薬剤、栄養素、感覚刺激剤、冷却剤及びこれらのあらゆる組合せのいずれか及び全てを含むことができるが、これらに限定されない。
【００９６】
本発明の実用において、前記材料以外の材料が使用されることができることは当業者に明らかになるであろう。
【００９７】
図８を参照すると、活性クロージャ２３０はキャップ２３２を有しており、このキャップに、引張りタブ１０６を備えた挿入装置２０１が挿入されている。消費された後に挿入装置２０１の取外しの後に容器を再シールするために、キャップ２３２には、挿入装置２０１の上方に挿入された二次シール２３４が取り付けられている。キャップ２３２と、二次シール２３４と、挿入装置２０１とは、結合材２３６によって接合されている。結合材２３６はあらゆる適切な結合材であることができ、例えば接着剤であることができる。
【００９８】
図９を参照すると、活性クロージャ２３０の好適な択一的な実施形態はキャップ２３２を有しており、このキャップに、引張りタブを備えない挿入装置２０１が挿入されている。キャップ２３２は、活性クロージャ２３０がボトルのネックフィニッシュ上にシールされると盗難を検出することを補助するために盗難バンド２３８を有するように変更されている。
【００９９】
図１０及び図１１を参照すると、活性クロージャ２３０はネックフィニッシュ２４０に配置されている。図１０において、活性クロージャ２３０は、引張りタブ１０６を備えたクロージャシール１０１が二次シール２３４とネックフィニッシュ２４０との間において圧縮され、これにより、圧力結合された密閉シール２４２を形成するようにネックフィニッシュ２４０に螺合させられている。図１１において、引張りタブを備えない、盗難バンド２３８を備えた活性クロージャ２３０は、引張りタブ１０６を備えないクロージャシール１０１がキャップ２３２とネックフィニッシュ２４０との間において圧縮され、これにより、圧力結合された密閉シール２４２を形成するようにネックフィニッシュ２４０に螺合させられている。圧力結合された密閉シール２４２は、液密及び気密シールを含み、この場合、キャップ２３２の適用により生ぜしめられた圧力は摩擦によりクロージャシール１０１をネックフィニッシュ２４０に結合させる。
【０１００】
図１４を参照すると、本発明の方法は、概して符号２５０によって表された高温充填ステップから開始する。プラスチック容器２７０は、開口又はネック２７４を介して所定の充填レベル２７６まで高温液体２７２で高温充填され、ヘッドスペース２７８を残す。所定の充填レベル２７６は、ベース２８０と容器２７０のネックフィニッシュ２４０の頂上部との間のあらゆるレベルであることができる。高温充填ステップ２５０が完了した後、概して符号２５２によって表された次のステップは、活性クロージャ２３０の適用によって容器２７０を閉鎖及びシールする。
【０１０１】
容器２７０が活性クロージャ２３０によって閉鎖及びシールされた後、概して符号２５４によって表された次のステップが容器２７０及び液体７２を冷却する。冷却中、容器２７０は、ヘッドスペース２７８及び液体２７２における収縮によって生ぜしめられる真空圧力により１つ又は２つ以上の凹所２８２を形成するように、デント、バックリング又はパネルを生じる。しかしながら、容器２７０は、次のステップのために液体２７２が十分な温度、例えば大気温度にまで冷却するまでに設計強度に戻る。容器２７０のデント、バックリング又はパネルは、冷却ステップ２５４中にヘッドスペース２７８において生ぜしめられる真空圧力の効果を収容するように設計されたあらゆる特別に弱められた領域を含む、容器２７０における１つ又は２つ以上の側壁２８４、ベース２８０又はあらゆる箇所において生じることができる。
【０１０２】
選択的に、冷却ステップ２５４の時に、又は閉鎖及びシールステップ２５２に続いて、容器は、ヘッドスペース２７８を滅菌するために反転されることができる。
【０１０３】
概して符号２５６によって表された次のステップにおいて、挿入装置２０１に封入された反応剤１０７が、化学的に反応するようにトリガされる。反応２１０のトリガは、活性クロージャ２３０がトリガリング装置２８６の影響下に位置決めされた時に生じる。トリガリング装置２８６は、キャップ２３２に関連して配置された誘導コイル２８８を含み、これにより、コイル２８８に電流が流れると電磁界がベース導体１０３及び保持シールド導体１０４を包囲する。誘導による電磁界により、電流が導体１０３及び１０４に流れ、この電流がこれらの導体の温度を上昇させる。
【０１０４】
この温度上昇自体は反応剤１０７の温度を上昇させる。反応剤１０７の温度が所定のレベルに達すると、反応２１０は反応チャンバ２２０において開始され、反応チャンバにおいて反応剤１０７が反応し、ガス２１４と成分２１６との混合物を生ぜしめる。遊離されたガス２１４と成分２１６との混合物２１２は、反応チャンバ２２０内に正圧を生ぜしめる。この正圧は、破裂開口２１８を開放させ、混合物２１２を容器２７０のヘッドスペース２７８内に放出させる。この放出により、ガス２１４はヘッドスペース２７８内に膨張し、容器２７０内に正圧を形成し、これにより、冷却ステップ２５０の間にデント、バックリング又はパネルによって生ぜしめられた凹所２８２を膨張させ、付加的に容器２７０に構造的な剛性を提供する。
【０１０５】
さらに、引張りタブ１０６を有する実施形態において、導体１０３及び１０４の温度はさらに制御され、圧力接着された密閉シール２４２は非永久的な溶接されたシールに変換されることができ、これにより、クロージャシール１０１におけるポリエステルコーティングは溶融し、冷却によりネックフィニッシュ２４０に結合する。
【０１０６】
導体１０３及び１０４の温度は、トリガリング装置２８６によって提供される外部エネルギの強度と、トリガリング装置２８６への導体１０３及び１０４の近接と、導体１０３及び１０４がトリガリング装置２８６の電磁界に曝される時間の長さとによって制御されることができる。例えば、温度は、活性クロージャ２３０が電磁界を通過するためにかかる時間の長さ、トリガリング装置が活性クロージャ２３０を通過するためにかかる時間の長さ、又は電流が導体コイル２８８に提供される時間の長さを制御することによって制御されることができる。
【０１０７】
反応自体は、容器２７０が冷却されかつその設計強度に戻された後のあらゆる時に生じるようにトリガリングの時間が制御されるという意味において制御可能である。これにより、液体２７２が高温充填温度だった時に生じるよりも高い圧力が生ぜしめられる。より高い圧力により、容器２７０は膨張し、冷却中に発生したあらゆるパネリング又はバックリングを実質的に排除し、付加的に容器２７０に構造的剛性を提供することができる。
【０１０８】
概して符号２５８によって示された次のステップにおいて、反応は完了される。この動作において、ヘッドスペース２７８における混合物２１２は分離し、成分２１６を溶解又は液体２７２と混合させるとともに、ガス２１４をヘッドスペース２７８内に残留させる。活性クロージャ２０１は、消費者によって開放されるまで今や剛性の容器２７０に残留する。
【０１０９】
化学反応も成分２１６を解放する。成分２１６は、反応によって容器２７０内に解放される熱敏感成分又は機能的成分として処方されている。容器２７０が冷却された時に初めて反応がトリガされるので、成分２１６は劣化させられない。反応は、長時間高温に曝されないが、反応中は比較的短時間高温に曝される。これらの熱敏感成分は概して液体に芳香及び味の特性を提供する。
【０１１０】
図１２及び図１３を参照すると、活性化の後の活性クロージャ２３０が示されている。図１２において、活性クロージャ２３０は、キャップ２３２と、二次シール２３４と、引張りタブ１０６を備えた消費された挿入装置２０１とを有している。キャップ２３２がねじ外されてネックフィニッシュ２４０から取り外されると、消費された挿入装置２０１はネックフィニッシュ２４０に結合されたまま残留する。次いで、引張りタブ１０６を引張り、消費された挿入装置２０１をネックフィニッシュ２４０から剥ぎ取ることによって、消費された挿入装置２０１は取り外されることができる。容器２７０が再シールされる必要がある場合、キャップ２３２はネックフィニッシュ２４０に螺合され、これにより、二次シール２３４を圧縮し、新たな圧力結合された密封シールを形成する。
【０１１１】
図１３において、（引張りタブを備えない）活性化の後の活性クロージャ２３０は、キャップ２３２と、盗難バンド２３８と、消費された挿入装置２０１とを有している。キャップ２３２がねじ外されたネックフィニッシュ２４０から取り外されると、盗難バンド２３８は破壊されてネックフィニッシュ２４０に残留するとともに、消費された挿入装置２０１はキャップ２３２内の所定の位置に残留する。容器２７０が再シールされる必要がある場合、キャップ２３２はネックフィニッシュ２４０に螺合され、これにより、クロージャシール１０１を圧縮し、圧力結合された密封シールを形成する。
【０１１２】
発明の範囲から逸脱することなく、上述の実施形態に変更がなされることができることは当業者に明らかになるであろう。以下に示される変更又は修正の例のリストは、全てを包括すること、又は発明の可能な形式をあらゆる形式で限定することを意図されていない。
【０１１３】
図１５に示された１つの典型的な択一的な実施形態において、挿入装置１２０は、溶解可能コーティング１１１で被覆されたメンブレン１１０を有している。液体２７２に曝されると、コーティング１１１は溶解し、液体２７２を容器２７０から貫通させ、化合物１１２を湿らせる。化合物１１２が湿ることにより、化合物は反応し、ガス及び副産物を発生する。この例において、同じメンブレン１１０は、あらゆる望ましくない化合物又は副産物を保持又は妨害しながら、ガスを反応からメンブレンを通過させる。選択的な実施形態として付加的に、反応を制御する又は加速させることを補助するために、絶縁体１０２及びベース導体１０３が付加されることができる。
【０１１４】
図１６に示された別の典型的な択一的な実施形態において、挿入装置１３０は、導体１０３及び１０４によって形成されたキャビティ又は反応チャンバ内に薄いフィルムセパレータ１１５を有している。薄いフィルム１１５は、互いに曝された時に反応する反応剤Ａ１１３と反応剤Ｂ１１４とを分離している。導体１０３及び１０４が加熱されると、薄いフィルム１１５は溶解し、反応剤１１３及び１１４を混合させ、これによりこれらの反応剤を反応させる。
【０１１５】
図１７を参照すると、本発明の別の典型的な択一的な実施形態は、ネックシール３３６が配置されている環状スロット３３５を有するクロージャ３３２を有している。クロージャ３３２は、挿入装置３３４が開口３３３を介して挿入されている凹所３３７を有している。
【０１１６】
挿入装置３３４は、容器２７０をシールし、ガス２１４及び副産物又は成分２１６を反応及び発生させ、反応をトリガ、誘発及び制御し、所定の副産物を保持又は妨害し、保護、シールディング、安全性及びセキュリティを提供し、構造的な強度及び支持を提供するために機能する。これらの機能を果たすために、挿入体３３４は、ライナ、シール、反応剤、メンブレン、コーティング、誘導プレート、電極、誘電体、吸収剤、導体、絶縁体、ジャケット、シールド、ヒューズ、スペーサ、ステータ、コイル、フィルム、触媒、及び阻害剤及び／又はその他のコンポーネント等のコンポーネントを有することができる。挿入装置３３４は、現在知られているか又は将来知られるあらゆる適切な形式で凹所３３７の底部に固定されることができる。例えば、挿入装置３３４は、圧力ばめ又は化学的接着剤によって凹所３３７の底部に固定されることができる。挿入装置３３４は、例えば、前記挿入装置２０１，１２０又は１３０のいずれであってもよい。
【０１１７】
図１８及び図１９を参照すると、択一的な容器３００は、挿入体３０４が配置された室３０２を有している。挿入体３０４は、挿入装置２０１又は３３４であることができる。挿入体３０４は、容器３００の内面に取り付けられるか又は単に取り外されることができる。１つ又は２つ以上の製品２０８が部分的に容器３００を充填している。製品３０８は、チップス、キャンディ、野菜等の食品であることができる。択一的に、製品３０８は、ハードウェアの１つ又は２つ以上のピース、医用又は歯科用サプライ、部品、ツール等を含むことができる。
【０１１８】
容器３００は適切なファスナ３０６によって閉鎖されている。例えば、ファスナ３０６は典型的なフォーム・フィル・シール・オペレーションであることができる。
【０１１９】
容器３００は、閉鎖及び加圧された場合に膨張可能であるための柔軟性を有するあらゆる適切な材料から構成されている。例えば、材料は、弾性特性を有するか、又は択一的に膨張又は加圧のためにルーズな形式で閉鎖された、プラスチック、紙、金属、フィルム又はラミネートであることができる。
【０１２０】
全ての場合において、挿入装置１２０，１３０，２０１又は３３４の機能は、好適な実施形態又は２つの前出の択一的な実施形態に記載されたものに限定されない。挿入装置は、容器をシールし、内容物を排出し、ガス及び成分を反応及び発生させ、反応をトリガ、誘発及び制御し、所定の副産物を濾過又は妨害し、保護、熱閉じ込め、ハウジング、シールディング、安全性及びセキュリティーを提供し、構造的な強度及び支持を提供する。
【０１２１】
これらの機能を果たすために、挿入装置は、コンポーネント及び層、例えば、ライナ、シール、反応剤、メンブレン、コーティング、フィルム、誘導プレート、電極、誘電体、吸収剤、導体、絶縁体、セパレータ、ジャケット、シールド、ヒューズ、スペーサ、ステータ、コイル、触媒、阻害剤及び／又はその他のコンポーネントを有することができ、これらは全てあらゆる適切な作用物質、例えば接着剤又はワックスによって、まとめて保持されている。
【０１２２】
メンブレンは、特定の寸法の流体がメンブレンを透過及び流過することができるあらゆる適切な半透性メンブレンであることができる。メンブレンは、織物基板、中空繊維、複合材料、又は利用可能な又はこれから開発されるあらゆるその他のメンブレン材料を含むグループから選択されることができる。
【０１２３】
コーティングは、液体と接触した場合にゆっくりと溶解又は崩壊するあらゆる適切なコーティングである。コーティングは、糖、澱粉、錠剤コーティング、又は利用可能な又はこれから開発されるその他の溶解可能な材料から成るグループから選択されることができる。
【０１２４】
引張りタブ１０６は、クロージャシール１０１に一体化された形状又はクロージャシールに取り付けられた個々の装置を含むあらゆる引張りタブ設計であることができる。個々の装置の例は、クロージャシール１０１の頂上部に着座する半月形引張りタブである。
【０１２５】
トリガリング装置２８６は、択一的に、放射熱、加熱空気、無線周波数（ＲＦ）、高周波数（ＨＦ）、超短波（ＶＨＦ）及び超高周波（ＵＨＦ）の範囲の電磁エネルギ、マイクロ波、ガンマ線、Ｘ線、紫外線、赤外線、電磁熱誘導、超音波エネルギ、熱音響エネルギ、レーザエネルギ、電流及び／又はこれらのあらゆる組合せの形式の外部エネルギを発生することができる。
【０１２６】
スコアマーク１０８は、択一的に、ランダムな数を含むあらゆる数であることができ、ランダムに分配されたパターンを含むあらゆるパターンでレイアウトされることができる。
【０１２７】
グラフィックパネル２０２は、挿入装置２０１のあらゆる面に配置されることができ、文章、絵柄又はホログラムの形式で、販売促進情報、登録商標、製品情報を含むあらゆるグラフィックスを含むことができる。
【０１２８】
挿入装置２０１は活性クロージャ２３０を介して容器２７０内に導入されるが、構造のその他の形状及びその他の導入態様が考えられることが当業者に明らかになるであろう。例えば、挿入装置２０１は、充填又は閉鎖の間に容器２７０に導入されることができる。
【０１２９】
さらに、本発明の適用は、閉鎖された充填された容器内において反応性又は非反応性化合物の解放を制御することが望ましい全ての用途に適用されることができることが当業者に明らかになるであろう。この適用は、（１）機能的成分又は成分を反応なしに直接にヘッドスペース内へ及び／又は容器内の液体へ排出するために、（２）容器内の圧力を著しく増減させることなく液体をブランケットするために容器のヘッドスペースにおける特定のガスのブランケットを提供するために、（３）脱酸素剤を容器のヘッドスペースに解放する又は曝すことによって又は容器のヘッドスペース内の酸素との反応を生ぜしめることによって容器のヘッドスペースにおける酸素の効果を排除するために、（４）容器内の液体を炭酸塩化する又はヘッドスペースから溶液内へ他のガスを吸収させるために、（５）容器内の液体を攪拌するために、及び（６）液体温度を昇降させるために、本発明を使用することを含む。
【０１３０】
さらに、本発明の適用は、高温及び低温充填法に加えてあらゆる及び全ての容器及び全ての充填法に適用されることができることが当業者に明らかになるであろう。
【０１３１】
本発明は、その好適な形態を特に引用しながら説明されたが、添付された請求項に定義されたような本発明の精神及び範囲から逸脱することなく、様々な変更及び修正が成されることができることが明らかになるであろう。
【図面の簡単な説明】
【０１３２】
【図１】本発明の挿入装置の図である。
【図２】図２の線２に沿って見た断面図である。
【図３】図２の断面図の分解図である。
【図４】図１の底面図である。
【図５】展開中及び展開後の挿入装置の動作を示す図である。
【図６】展開中の挿入装置の動作を示す図５の線６に沿って見た断面図である。
【図７】展開後の挿入装置の動作を示す図５の線６に沿って見た断面図である。
【図８】本発明の能動的クロージャ装置の分解図である。
【図９】本発明の能動的クロージャ装置の択一的な実施形態の分解図である。
【図１０】容器ネックに配置された能動的クロージャ装置を示す、図８のような分解図である。
【図１１】容器ネックに配置された能動的クロージャ装置の択一的な実施形態を示す、図９のような分解図である。
【図１２】容器ネックからの取外し後の能動的クロージャ装置を示す、図８のような分解図である。
【図１３】容器ネックからの取外し後の能動的クロージャ装置の択一的な実施形態を示す、図９のような分解図である。
【図１４】本発明の方法を示している。
【図１５】本発明の挿入装置の別の択一的な実施形態の分解図を示している。
【図１６】本発明の挿入装置の別の択一的な実施形態の分解図を示している。
【図１７】本発明のクロージャ装置の択一的な実施形態の断面図である。
【図１８】本発明の容器の択一的な実施形態の上面図である。
【図１９】図１８の線１９に沿って見た断面図である。
【符号の説明】
【０１３３】
１０１  クロージャシール、  １０２  絶縁体、  １０３  ベース導体、  １０４  保持シールド導体、  １０５  フィルムシール、  １０６  引張りタブ、  １０７  反応剤、  １０８  スコアマーク、  １０９  接着剤、  ２０１  挿入装置、  ２０２  グラフィックパネル、  ２１０  化学反応、  ２１２  混合物、  ２１４  ガス、  ２１６  成分、  ２１８  破裂開口、  ２２０  反応チャンバ、  ２３０  活性クロージャ、  ２３２  キャップ、  ２３４  二次シール、  ２３６  結合材、  ２３８  盗難バンド、  ２４０  ネックフィニッシュ、  ２４２  密閉シール、  ２７０  容器、  ２７２  高温液体、  ２７４  ネック、  ２７６  充填レベル、  ２７８  ヘッドスペース、  ２８０  ベース、  ２８２  凹所、  ２８４  側壁、  ２８６  トリガリング装置、  ２８８  誘導コイル、  ３３２  クロージャ、  ３３３  開口、  ３３４  挿入装置、  ３３５  環状スロット、  ３３６  ネックシール、  ３３７  凹所
【図１】
2007513017.tif 000003
【図２】
2007513017.tif 000004
【図３】
2007513017.tif 000005
【図４】
2007513017.tif 000006
【図５】
2007513017.tif 000007
【図６】
2007513017.tif 000008
【図７】
2007513017.tif 000009
【図８】
2007513017.tif 000010
【図９】
2007513017.tif 000011
【図１０】
2007513017.tif 000012
【図１１】
2007513017.tif 000013
【図１２】
2007513017.tif 000014
【図１３】
2007513017.tif 000015
【図１４】
2007513017.tif 000016
【図１５】
2007513017.tif 000017
【図１６】
2007513017.tif 000018
【図１７】
2007513017.tif 000019
【図１８】
2007513017.tif 000020
【図１９】
2007513017.tif 000021
【国際調査報告】
2007513017.tif 000022